(57)【要約】【課題】縦スジを適切に補正することができる画像形成装置および画像形成方法を提供する。【解決手段】画像データの濃度値の差である濃度差に基づく複数のスジの入った媒体から、読取り部によって読み取られた輝度値に基づいて、複数のスジのうち第１のスジの幅である第１のスジ幅、および第１のスジのスジ部の輝度値と非スジ部の輝度値との差である第１の輝度差、ならびに、第１のスジとは異なる第２のスジの幅であって第１のスジ幅よりも広い第２のスジ幅、および第２のスジのスジ部の輝度値と非スジ部の輝度値との差である第２の輝度差を検出する検出部と、検出部によって検出された第１の輝度差および第２の輝度差に基づいて、第１のスジ幅に対応する補正係数を算出する算出部と、算出部により算出された補正係数によって、画像データにおける第１のスジ幅に対応する濃度値を補正する補正部と、を備える。【選択図】図２
2018154060.tif 000002
【特許請求の範囲】
【請求項１】
画像データの濃度値の差である濃度差に基づく複数のスジの入った媒体から、読取り部によって読み取られた輝度値に基づいて、前記複数のスジのうち第１のスジの幅である第１のスジ幅、および前記第１のスジのスジ部の輝度値と非スジ部の輝度値との差である第１の輝度差、ならびに、前記第１のスジとは異なる第２のスジの幅であって前記第１のスジ幅よりも広い第２のスジ幅、および前記第２のスジのスジ部の輝度値と非スジ部の輝度値との差である第２の輝度差を検出する検出部と、
前記検出部によって検出された前記第１の輝度差および前記第２の輝度差に基づいて、前記第１のスジ幅に対応する補正係数を算出する算出部と、
前記算出部により算出された前記補正係数によって、画像データにおける前記第１のスジ幅に対応する濃度値を補正する補正部と、
を備えた画像形成装置。
【請求項２】
前記算出部は、前記第２の輝度差を前記第１の輝度差で除した値を、前記第１のスジ幅に対応する補正係数として算出する請求項１に記載の画像形成装置。
【請求項３】
前記算出部により算出された補正係数は、１より大きい値である請求項２に記載の画像形成装置。
【請求項４】
前記複数のスジの入った媒体は、スジの幅が少なくとも２以上異なるスジを含むパッチを有するスジ検出チャートである請求項１〜３のいずれか一項に記載の画像形成装置。
【請求項５】
前記算出部は、前記読取り部により読み取られる前記スジ検出チャートにおけるパッチのスジの既知であるスジ幅に対応付けて前記補正係数を算出する請求項４に記載の画像形成装置。
【請求項６】
前記算出部は、前記検出部により検出された前記スジ検出チャートのパッチに含まるスジのスジ幅に対応付けて前記補正係数を算出する請求項４に記載の画像形成装置。
【請求項７】
前記スジ検出チャートは、該スジ検出チャートを画像形成する画像形成部が複数のヘッドがつながれて構成されている場合、前記ヘッドのつなぎ目に対応する部分にはパッチを設けないようにした画像データに基づいて、前記画像形成部により画像形成される請求項４〜６のいずれか一項に記載の画像形成装置。
【請求項８】
前記スジ検出チャートは、画像形成部によってスクリーニングにより画像形成され、
前記算出部は、前記スクリーニングの種類に対応付けて前記補正係数を算出する請求項４〜７のいずれか一項に記載の画像形成装置。
【請求項９】
前記検出部は、前記スジ検出チャートを画像形成する画像形成部で該スジ検出チャートを送る方向と異なる方向に複数のスジが入った該スジ検出チャートを用いて、前記第１のスジ幅、前記第１の輝度差、前記第２のスジ幅および前記第２の輝度差を検出する請求項４〜８のいずれか一項に記載の画像形成装置。
【請求項１０】
前記スジ検出チャートは、画像形成部によって、ＡＭ（Ａｍｐｌｉｔｕｄｅ  Ｍｏｄｕｌａｔｉｏｎ）スクリーンにより画像形成され、かつ、前記画像形成部で該スジ検出チャートを送る方向と前記ＡＭスクリーンのスクリーン角度との差と、複数のスジの方向と前記スクリーン角度との差とが同一となるように画像形成された請求項４〜８のいずれか一項に記載の画像形成装置。
【請求項１１】
前記第１のスジおよび前記第２のスジは、同じ前記濃度差に基づいたスジである請求項１〜１０のいずれか一項に記載の画像形成装置。
【請求項１２】
前記検出部は、画像データから画像形成部により画像形成された媒体から、前記読取り部によって読み取られた輝度値に基づいて、前記画像形成部で該媒体を送る方向のスジについてのスジ幅を検出し、
前記補正部は、前記検出部により検出された該スジ幅に対応する補正係数によって、該画像データ上の該スジ幅のスジの主走査方向の位置に対応する濃度値を補正する請求項１〜１１のいずれか一項に記載の画像形成装置。
【請求項１３】
前記検出部により検出された、前記画像形成部で前記媒体を送る方向のスジのスジ幅に対応する該スジの主走査方向の位置を、該スジ幅と対応付けて記憶する記憶部を、さらに備え、
前記補正部は、前記画像形成部によって画像形成される画像データ上において、前記記憶部に記憶された前記主走査方向の位置に対応するスジ幅に対応する補正係数によって、前記画像データ上の該主走査方向の位置に対応する濃度値を補正する請求項１２に記載の画像形成装置。
【請求項１４】
前記複数のスジの入った媒体の該複数のスジは、指数関数的に増やしながら選択されたスジ幅となるように構成された請求項１〜１２のいずれか一項に記載の画像形成装置。
【請求項１５】
画像データの濃度値の差である濃度差に基づく複数のスジの入った媒体から、読取り部によって読み取られた輝度値に基づいて、前記複数のスジのうち第１のスジの幅である第１のスジ幅、および前記第１のスジのスジ部の輝度値と非スジ部の輝度値との差である第１の輝度差、ならびに、前記第１のスジとは異なる第２のスジの幅であって前記第１のスジ幅よりも広い第２のスジ幅、および前記第２のスジのスジ部の輝度値と非スジ部の輝度値との差である第２の輝度差を検出する検出ステップと、
検出した前記第１の輝度差および前記第２の輝度差に基づいて、前記第１のスジ幅に対応する補正係数を算出する算出ステップと、
算出した前記補正係数によって、画像データにおける前記第１のスジ幅に対応する濃度値を補正する補正ステップと、
を有する画像形成方法。
【発明の詳細な説明】
【技術分野】
【０００１】
本発明は、画像形成装置および画像形成方法に関する。
【背景技術】
【０００２】
従来、画像形成装置における印刷媒体（例えば、紙）の送り方向（副走査方向）と同じ方向に発生するスジのような画像不良（以下、「縦スジ」と称する場合がある）を解消するために、入力される画像データの濃度値を補正する技術が知られている。
【０００３】
例えば、感光体を備えるレーザープリンタ等の場合、上述の縦スジの発生源としては、スコロトロンというコロナ放電発生器を用いて感光体を帯電する機械で発生することが多い。また、左右の濃度偏差等の緩やかな濃度偏差は、感光体と現像スリーブとのギャップ（「プロセスギャップ」と呼ばれる場合がある）において発生することが多い。さらに、現像剤を規制する現像器内の規制部材と現像ローラとのギャップの偏差で発生することもある。様々な要因に起因して、細く急峻な濃度変化から幅の広い緩やかな濃度変化が発生する。急峻な濃度変化（１０［ｍｍ］以下の長さの濃度変化）はスジ状に見えるため縦スジと称し、１０［ｍｍ］〜１００［ｍｍ］程度の長さの濃度変化は帯状に見えるため縦帯と称し、それ以上の緩やかな濃度変化はムラとして認知されるため濃度ムラまたは濃度偏差等と称する場合がある。
【０００４】
このような、濃度変化を補正する技術として、入力された画像データに基づいて画像を形成する画像形成手段と、テストパターンの画像データに基づいて画像形成手段により形成されたテストパターンを読み取って得られた読取結果に基づいて、画像形成手段に供給する画像データを画像形成手段により形成される画像の画質が改善するように補正するための補正値を予め定められた画素毎に演算する演算手段と、補正値によって補正されたテストパターンの画像データに基づいて画像形成手段により形成されたテストパターンの読取結果と、補正値によって補正される前のテストパターンの画像データに基づいて画像形成手段により形成されたテストパターンの読取結果とを比較して、画素毎に画質が改善されたか否かを判断する判断手段と、判断手段により画質が改善されたと判断された画素に対応する画像データを補正値で補正する補正手段と、を含んで構成された画像形成装置が開示されている（特許文献１参照）。
【発明の概要】
【発明が解決しようとする課題】
【０００５】
しかしながら、上述の特許文献１に記載された技術では、濃度変化の幅に応じた補正がなされていないため、特に細い縦スジについて適切に解消されないという問題点がある。
【０００６】
本発明は、上記に鑑みてなされたものであって、縦スジを適切に補正することができる画像形成装置および画像形成方法を提供することを目的とする。
【課題を解決するための手段】
【０００７】
上述した課題を解決し、目的を達成するために、本発明は、画像データの濃度値の差である濃度差に基づく複数のスジの入った媒体から、読取り部によって読み取られた輝度値に基づいて、前記複数のスジのうち第１のスジの幅である第１のスジ幅、および前記第１のスジのスジ部の輝度値と非スジ部の輝度値との差である第１の輝度差、ならびに、前記第１のスジとは異なる第２のスジの幅であって前記第１のスジ幅よりも広い第２のスジ幅、および前記第２のスジのスジ部の輝度値と非スジ部の輝度値との差である第２の輝度差を検出する検出部と、前記検出部によって検出された前記第１の輝度差および前記第２の輝度差に基づいて、前記第１のスジ幅に対応する補正係数を算出する算出部と、前記算出部により算出された前記補正係数によって、画像データにおける前記第１のスジ幅に対応する濃度値を補正する補正部と、を備えたことを特徴とする。
【発明の効果】
【０００８】
本発明によれば、縦スジを適切に補正することができる。
【図面の簡単な説明】
【０００９】
【図１】図１は、第１の実施の形態に係る画像形成装置のハードウェア構成の一例を示す図である。
【図２】図２は、第１の実施の形態に係る画像形成装置の機能ブロック構成の一例を示す図である。
【図３】図３は、３０％の濃度値のグレーを示す画像データの一例を示す図である。
【図４】図４は、図３に示す画像データについての２７０線のＡＭスクリーンの拡大図である。
【図５】図５は、図３に示す画像データについての１７５線のＡＭスクリーンの拡大図である。
【図６】図６は、３０％の濃度値のグレーを示す画像データに縦スジを入れた場合の一例を示す図である。
【図７】図７は、図６に示す画像データの縦スジ部分についての２７０線のＡＭスクリーンの拡大図である。
【図８】図８は、図６に示す画像データの縦スジ部分についての１７５線のＡＭスクリーンの拡大図である。
【図９】図９は、ＦＭスクリーンの縦スジ部分の拡大図である。
【図１０】図１０は、濃度差と輝度差との関係を示すグラフの一例である。
【図１１】図１１は、スジ幅と感度との関係を示すグラフの一例である。
【図１２】図１２は、スジ幅に対する感度および感度比の一例を示すデータである。
【図１３】図１３は、縦スジを入れたスジ検出チャートの一例を示す図である。
【図１４】図１４は、横スジを入れたスジ検出チャートの一例を示す図である。
【図１５】図１５は、横スジを入れたスジ検出チャートから黒色のチャートを抜粋した図である。
【図１６】図１６は、同じ濃度差で、異なる幅の縦スジを入れた画像データの例を示す図である。
【図１７】図１７は、同じ濃度差で、異なる幅の縦スジを入れた画像データを印刷した印刷媒体を読み込んだ画像を示す図である。
【図１８】図１８は、主走査方向の位置と、検出した輝度差との関係を示すグラフの一例である。
【図１９】図１９は、第１の実施の形態に係る画像形成装置における補正係数の算出処理の一例を示すフローチャートである。
【図２０】図２０は、第１の実施の形態に係る画像形成装置における補正処理の一例を示すフローチャートである。
【図２１】図２１は、第２の実施の形態に係る画像形成装置（インクジェットプリンタ）の構造の一例を示す概略断面図である。
【図２２】図２２は、第２の実施の形態に係る画像形成装置のラインヘッドを説明する図である。
【図２３】図２３は、第２の実施の形態に係る画像形成装置の記録ヘッドの浴室の長手方向の断面図である。
【図２４】図２４は、第２の実施の形態に係る画像形成装置の記録ヘッドの浴室の短手方向の断面図である。
【図２５】図２５は、第２の実施の形態に係る画像形成装置のハードウェア構成の一例を示す図である。
【図２６】図２６は、記録ヘッドユニットのつなぎヘッドの一例を示す図である。
【図２７】図２７は、記録ヘッドユニットのつなぎヘッドの別の例を示す図である。
【図２８】図２８は、記録ヘッドユニットのつなぎヘッドのつなぎ目を説明する図である。
【図２９】図２９は、記録ヘッドユニットのつなぎヘッドのつなぎ目に生じるスジの例を示す図である。
【図３０】図３０は、第２の実施の形態に係る画像形成装置用の縦スジを入れたスジ検出チャートの一例を示す図である。
【図３１】図３１は、第２の実施の形態に係る画像形成装置用の横スジを入れたスジ検出チャートの一例を示す図である。
【発明を実施するための形態】
【００１０】
以下に、図１〜図３１を参照しながら、本発明に係る画像形成装置および画像形成方法の実施の形態を詳細に説明する。また、以下の実施の形態によって本発明が限定されるものではなく、以下の実施の形態における構成要素には、当業者が容易に想到できるもの、実質的に同一のもの、およびいわゆる均等の範囲のものが含まれる。さらに、以下の実施の形態の要旨を逸脱しない範囲で構成要素の種々の省略、置換、変更および組み合わせを行うことができる。
【００１１】
また、濃度変化（縦スジ）の発生源は主に感光体より上流で発生するものがほとんどである。したがって、クリーニング不良等で発生する、常に同じ位置に出る汚れ、および、定着で発生する光沢スジは、以下の実施の形態の補正では対象外とする。これは、汚れおよび光沢変化に起因するスジ（画像不良）は、以下の実施の形態の補正を実施すると、却ってスジが増えてしまうといった副作用が発生することがあるからである。汚れおよび光沢変化に起因するスジに対しては、ユニットの交換もしくは清掃等で対応することが好ましい。
【００１２】
［第１の実施の形態］
（画像形成装置のハードウェア構成）
図１は、第１の実施の形態に係る画像形成装置のハードウェア構成の一例を示す図である。図１を参照しながら、本実施の形態に係る画像形成装置のハードウェア構成について説明する。なお、本実施の形態に係る画像形成装置は、コピー機能、プリンタ機能、スキャナ機能、およびファクシミリ機能のうち少なくとも２つの機能を有する複合機（ＭＦＰ：Ｍｕｌｔｉ  Ｆｕｎｃｔｉｏｎ  Ｐｅｒｉｐｈｅｒａｌｓ）であるものとして説明するが、画像形成装置としては、これに限定されるものではなく、複写機またはプリンタ等の画像形成出力を行う画像形成装置であればいずれにも適用することができる。
【００１３】
図１に示すように、本実施の形態に係る画像形成装置の一例であるＭＦＰ１は、ＣＰＵ（Ｃｅｎｔｒａｌ  Ｐｒｏｃｅｓｓｉｎｇ  Ｕｎｉｔ）５０１と、通信Ｉ／Ｆ５０２と、スキャナ５０３と、ＲＡＭ（Ｒａｎｄｏｍ  Ａｃｃｅｓｓ  Ｍｅｍｏｒｙ）５０４と、補助記憶装置５０５と、操作表示部５０６と、プロッタ５０７と、を備えている。
【００１４】
ＣＰＵ５０１は、ＭＦＰ１全体の動作を統括的に制御する演算装置である。
【００１５】
通信Ｉ／Ｆ５０２は、外部装置との間でデータ通信を行うためのインターフェースであり、例えば、ホスト装置から画像データを受信する。なお、以下の説明では、ホスト装置から受信した画像データを「入力画像データ」と称する場合がある。
【００１６】
スキャナ５０３は、ＣＰＵ５０１の制御の下、プロッタ５０７により印刷媒体（例えば、紙等）上に画像形成された画像を光学的に読み取るための装置である。スキャナ５０３は、例えば、ラインセンサ等を含んで構成される。スキャナ５０３の構成としては、公知の様々なスキャナ装置の構成を利用することができる。
【００１７】
ＲＡＭ５０４は、ＣＰＵ５０１のワークエリアとして使用される揮発性記憶装置である。
【００１８】
補助記憶装置５０５は、ホスト装置から受信した画像データ、および後述するスジ検出チャートの画像データ等を記憶する不揮発性の記憶装置である。また、補助記憶装置５０５は、後述する補正係数の算出処理で得られる補正情報を記憶する。具体的には、補助記憶装置５０５は、複数の色のうちのいずれかの色に対応する画像データにおける縦スジの幅（以下、単に「スジ幅」と称する場合がある）ごと、かつ、スクリーニングの種類ごとに、縦スジを解消するための補正係数を対応付けた補正情報を、複数の色ごとに記憶する。ここで、スクリーニングの種類とは、ＡＭ（Ａｍｐｌｉｔｕｄｅ  Ｍｏｄｕｌａｔｉｏｎ）スクリーンまたはＦＭ（Ｆｒｅｑｕｅｎｃｙ  Ｍｏｄｕｌａｔｉｏｎ）スクリーンであるか否か、および、ＡＭスクリーンの場合、線数およびスクリーン角度はそれぞれいくつか等の種類を示す。また、この例では、補助記憶装置５０５は、ＣＭＹＫ（Ｃｙａｎ、Ｍａｇｅｎｔａ、Ｙｅｌｌｏｗ、Ｂｌａｃｋ）の４色と１対１に対応する４つの補正情報を記憶する。
【００１９】
補助記憶装置５０５は、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等である。
【００２０】
操作表示部５０６は、例えば、タッチパネル等であり、ＣＰＵ５０１に対する入力を受け付ける（操作機能）と共に、ＭＦＰ１の状態等を表示（表示機能）する装置である。
【００２１】
プロッタ５０７は、印刷機能を実現する装置であり、ＣＰＵ５０１の制御に従って、画像データに対して画像形成（例えば、印刷媒体への印刷）を行う装置である。プロッタ５０７は、例えば、後述するスジ検出チャートの画像データ、縦スジに対する補正前の画像データ、および、補正後の画像データ等を印刷媒体上に印刷を行う。具体的には、プロッタ５０７は、上述の各画像データに応じたトナー像を印刷媒体上に定着させる装置である。プロッタ５０７には、ＣＭＹＫの各トナーが搭載されており、各トナーに対して感光体、帯電器、現像器および感光体クリーナを含む作像ユニット、露光器、ならびに、定着機が各々搭載されている。プロッタ５０７は、画像データに応じて、露光器から光ビームを照射して各トナーに対応するトナー像を感光体上に形成し、感光体上に形成したトナー像を中間転写ベルト上に転写（１次転写）した後に、中間転写ベルト上に転写したトナー像を印刷媒体上に転写（２次転写）し、印刷媒体上に転写したトナー像を、定着機によって所定の範囲内の温度での加熱および加圧で定着させる。これによって、印刷媒体上に画像が形成される。このようなプロッタ５０７の構成については周知であるため、ここでは、その詳細な説明は省略する。プロッタ５０７の構成としては、公知の様々なプリンタエンジンの構成を利用することができる。なお、印刷媒体は、紙に限られるものではない。
【００２２】
なお、図１に示したＭＦＰ１のハードウェア構成は、一例を示すものであり、その他の構成要素を含むものとしてもよい。
【００２３】
（画像形成装置の機能ブロック構成）
図２は、第１の実施の形態に係る画像形成装置の機能ブロック構成の一例を示す図である。図２を参照しながら、本実施の形態に係る画像形成装置の機能ブロック構成について説明する。
【００２４】
図２に示すように、本実施の形態に係るＭＦＰ１は、通信部１０１と、取得部１０２と、画像出力部１０３（画像形成部）と、読取り部１０４と、検出部１０５と、算出部１０６と、記憶部１０７と、補正部１０８と、操作部１０９と、制御部１１０と、を有する。
【００２５】
通信部１０１は、外部装置との間でデータ通信を行うための機能部である。通信部１０１は、図１に示す通信Ｉ／Ｆ５０２によって実現される。
【００２６】
取得部１０２は、外部装置から通信部１０１を介して、画像形成出力の対象、または、補正部１０８による補正処理の対象となる画像データを取得する機能部である。取得部１０２は、例えば、図１に示すＣＰＵ５０１がプログラムを実行することによって実現される。
【００２７】
画像出力部１０３は、制御部１１０の制御に従って、後述するスジ検出チャートの画像データ、縦スジに対する補正前の画像データ、および、補正後の画像データ等を印刷媒体上に印刷を行う機能部である。画像出力部１０３は、図１に示すプロッタ５０７によって実現される。
【００２８】
読取り部１０４は、画像データを基に画像形成された印刷媒体から画像を読み取る機能部である。読取り部１０４は、印刷媒体から画像を読み取る場合、明るさを示す輝度値（読取り値）（８ビットで示す場合、「０」（暗）〜「２５５」（明）の値で示される）に変換して読み取る。読取り部１０４は、図１に示すスキャナ５０３によって実現される。
【００２９】
検出部１０５は、読取り部１０４により読み取られた印刷媒体の画像からスジを検出する機能部である。具体的には、検出部１０５は、補正係数の算出のための後述するスジ検出チャートが印刷された印刷媒体からは、縦スジおよび横スジそれぞれの有無を検出する。また、検出部１０５は、補正対象となる画像が印刷された印刷媒体からは、縦スジの有無を検出する。なお、検出部１０５によるスジの具体的な検出方法については、後述する。検出部１０５は、例えば、図１に示すＣＰＵ５０１がプログラムを実行することによって実現される。
【００３０】
算出部１０６は、検出部１０５により検出されたスジ検出チャートにおけるスジ部と非スジ部との輝度値の差である輝度差に基づいて、スジ幅ごとに補正係数を算出する機能部である。なお、算出部１０６による補正係数の算出方法については、後述する。算出部１０６は、例えば、図１に示すＣＰＵ５０１がプログラムを実行することによって実現される。
【００３１】
記憶部１０７は、算出部１０６により算出された補正係数を含む補正情報を記憶する機能部である。また、記憶部１０７は、ホスト装置から受信した画像データ、および後述するスジ検出チャートの画像データ等を記憶する。記憶部１０７は、図１に示す補助記憶装置５０５によって実現される。
【００３２】
補正部１０８は、補正対象の画像データに対して、検出部１０５により検出されたスジ部に対して、そのスジ部の幅（スジ幅）に応じた補正係数によって濃度値を補正する機能部である。なお、記憶部１０７による補正処理については、後述する。補正部１０８は、例えば、図１に示すＣＰＵ５０１がプログラムを実行することによって実現される。
【００３３】
操作部１０９は、タッチ入力およびソフトウェアキー入力等のユーザによる操作入力を受け付ける機能部である。操作部１０９は、図１に示す操作表示部５０６のタッチ入力機能によって実現される。なお、操作表示部５０６は、タッチパネルのタッチ入力機能を有する他、ハードウェアスイッチ等を備えるものとしてもよい。この場合、操作部１０９は、このハードウェアスイッチ等によっても実現される。
【００３４】
制御部１１０は、ＭＦＰ１全体の処理を制御する機能部である。制御部１１０は、例えば、図１に示すＣＰＵ５０１がプログラムを実行することによって実現される。
【００３５】
なお、上述の取得部１０２、検出部１０５、算出部１０６、補正部１０８および制御部１１０の一部または全部は、ソフトウェアであるプログラムではなく、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）等のハードウェア回路によって実現されるものとしてもよい。
【００３６】
また、図２に示すＭＦＰ１の通信部１０１、取得部１０２、画像出力部１０３、読取り部１０４、検出部１０５、算出部１０６、記憶部１０７、補正部１０８、操作部１０９および制御部１１０は、機能を概念的に示したものであって、このような構成に限定されるものではない。例えば、図２に示すＭＦＰ１で独立した機能部として図示した複数の機能部を、１つの機能部として構成してもよい。一方、図２に示すＭＦＰ１で１つの機能部が有する機能を複数に分割し、複数の機能部として構成するものとしてもよい。
【００３７】
（スクリーニングによる縦スジについて）
図３は、３０％の濃度値のグレーを示す画像データの一例を示す図である。図４は、図３に示す画像データについての２７０線のＡＭスクリーンの拡大図である。図５は、図３に示す画像データについての１７５線のＡＭスクリーンの拡大図である。図３〜図５を参照しながら、スクリーニングのうちＡＭスクリーンについて説明する。
【００３８】
図３は、図４および図５に示すようなＡＭスクリーンによる印刷の元になるグレー（濃度値：３０％）の画像データを示す。ここで、濃度値とは、画像データを構成する画素の各色（ＣＭＹＫ）の濃度を示す画素値を示し、例えば、８ビットで示される場合、「０」（明）〜「２５５」（暗）の値で示される。この場合、濃度値１００％とは、値として「２５５」に対応し、０％とは、値として「０」に対応するものとする。なお、ここでの画像データは、ＲＧＢ（Ｒｅｄ（赤）、Ｇｒｅｅｎ（緑）、Ｂｌｕｅ（青））の色空間のデータから、ＣＭＹＫの色空間のデータに変換されているものとする。
【００３９】
図３に示す画像データに基づいて、２７０線のＡＭスクリーンにより印刷した場合の１［ｍｍ］角の領域を拡大したものが図４である。また、図３に示す画像データに基づいて、１７５線のＡＭスクリーンにより印刷した場合の１［ｍｍ］角の領域を拡大したものが図５である。図３に示す画像データでは、１画素において８ビットの階調を用いて中間調を表すのに対し、図４および図５に示すようなＡＭスクリーンで印刷した印刷媒体上ではドットの面積を用いて中間調を表す。なお、図４および図５に示すＡＭスクリーンの例では、黒・白の２値のスクリーニングの例を示したが、後述する縦スジに対する補正処理は、黒・濃いグレー・淡いグレー・白の４値のスクリーニング等のように面積階調を用いて少値化する全てのスクリーニングに適用が可能である。
【００４０】
ここで、印刷媒体に印刷された画像に生じる縦スジの幅（スジ幅）は、スクリーニングの種類に大きく影響を受ける。特に、粗い線数ほど縦スジの再現性が悪くなる。この縦スジの再現性について、以下の図６〜図８で説明する。
【００４１】
図６は、３０％の濃度値のグレーを示す画像データに縦スジを入れた場合の一例を示す図である。図７は、図６に示す画像データの縦スジ部分についての２７０線のＡＭスクリーンの拡大図である。図８は、図６に示す画像データの縦スジ部分についての１７５線のＡＭスクリーンの拡大図である。図６〜図８を参照しながら、ＡＭスクリーンにおける縦スジの再現性について説明する。
【００４２】
図６は、図３に示したグレー（濃度値：３０％）の画像データに対して、８４［μｍ］の幅の縦スジを入れた画像データを示す。そして、図６に示す画像データに基づいて、２７０線のＡＭスクリーンにより印刷した場合において、縦スジ部分を含む１［ｍｍ］角の領域を拡大したものが図７である。また、図６に示す画像データに基づいて、１７５線のＡＭスクリーンにより印刷した場合において、縦スジ部分を含む１［ｍｍ］角の領域を拡大したものが図８である。
【００４３】
ＡＭスクリーンでは、印刷媒体上でドットの面積を用いて中間調を表すため、図６に示す元の画像データのように８４［μｍ］の縦スジが完全に再現できることはない。上述のように、特に粗い線数ほど縦スジの再現性が悪くなり、高精細印刷で用いられる２７０線のＡＭスクリーンと、通常印刷の１７５線のＡＭスクリーンとを比較した場合、８４［μｍ］の縦スジの再現の結果は大きく異なり、図８に示す１７５線のＡＭスクリーンの方が、図７に示す２７０線のＡＭスクリーンよりも、縦スジの再現性が悪くなっている。すなわち、線数が大きいＡＭスクリーンほど、縦スジを再現しやすくなるが、線数が下がるにつれて、縦スジの再現性が悪くなる。ここまで、ＡＭスクリーンにおける縦スジの再現性について説明したが、次に、ＦＭスクリーンにおける縦スジの再現性について説明する。
【００４４】
図９は、ＦＭスクリーンの縦スジ部分の拡大図である。図９を参照しながら、ＦＭスクリーンにおける縦スジの再現性について説明する。
【００４５】
ＦＭスクリーンは、図４および図５に示すＡＭスクリーンのようにスクリーン角度は存在しないが、ＡＭスクリーンと同様に、ドットの面積（ＦＭスクリーンの場合、密度）を用いて中間調を表すため、縦スジの再現性についてはＡＭスクリーンと同様の結果となる。図９は、図６に示す画像データに基づいて、ＦＭスクリーンにより印刷した場合において、縦スジ部分を含む１［ｍｍ］角の領域を拡大した状態を示し、誤差拡散法により縦スジ部分を置き換えた例を示す。図９に示すように、ＦＭスクリーンも、ＡＭスクリーンと同様に、縦スジを完全に再現することはできない。
【００４６】
（読取り部の感度について）
図１０は、濃度差と輝度差との関係を示すグラフの例である。図１１は、スジ幅と感度との関係を示すグラフの一例である。図１２は、スジ幅に対する感度および感度比の一例を示すデータである。図１０〜図１２を参照しながら、本実施の形態に係るＭＦＰ１がＦＭスクリーンにより印刷を行うものとした場合における読取り部１０４の読取りの感度について説明する。
【００４７】
図１０に示すグラフは、凡例に記載したスジ幅の縦スジを入れた画像データのスジ部と非スジ部との濃度値の差（濃度差）を横軸とし、その画像データをＦＭスクリーンにより印刷した印刷媒体を読取り部１０４で読み取った場合におけるスジ部と非スジ部との輝度値の差（輝度差）を縦軸とした場合の実験結果の一例である。図１０では、非スジ部の濃度値を２０％としている。図１０に示す凡例の一番下の「パッチ」に対応するグラフは、画像データ全体（または、検出対象となる画像データの一部であるパッチ部分）を非スジ部の濃度とした場合と、スジ部の濃度とした場合とにおける濃度差と、それぞれの画像データを印刷した印刷媒体を読取り部１０４で読み取った場合における輝度差との関係を示す。ここで、濃度差および輝度差の値は、それぞれ２５６階調で表した場合の値（「０」〜「２５５」）である。上述のように、濃度値は、画像データを構成する画素の濃度を示す、例えば、「０」（明）〜「２５５」（暗）の画素値であり、輝度値は、読取り部１０４により読み取られた明るさを示す、例えば、「０」（暗）〜「２５５」（明）の値である。したがって、図１０に示すグラフのように、濃度差と輝度差とは正負が逆転することになる。
【００４８】
当該実験結果においては、濃度差がそれぞれ「−２０」、「−１０」、「−５」、「０」、「５」、「１０」および「２０」の場合の、輝度差の結果を示す。４２［μｍ］、８４［μｍ］および１６８［μｍ］の細い縦スジについて、濃度差が「５」のとき、輝度差は「０」となっているが、これは、輝度値についてのピーク部が判別できないほど、縦スジとして検出できなかったことを示す。ここで、濃度差の絶対値に対して、輝度差の絶対値が大きいほど、読取り部１０４による読み取りの感度が高いものとした場合、グラフの傾きの絶対値が大きいほど感度が高いと言える。すなわち、グラフの傾きの絶対値は、感度そのものを示すと言うことができる。
【００４９】
また、一番細い４２［μｍ］のグラフに対して、「パッチ」に対応するグラフの傾きの絶対値の方が高い。また、４２［μｍ］の縦スジ、および８４［μｍ］の縦スジそれぞれの感度は、ほぼ同じとなっている。また、１６８［μｍ］の縦スジの感度は、４２［μｍ］および８４［μｍ］の縦スジの感度よりも高い。さらに、６７２［μｍ］の縦スジの感度は、１６８［μｍ］の縦スジの感度よりも高いが、僅差である。
【００５０】
以上の結果から、８ビット（多値）の濃度値で構成された画像データの縦スジに対し、画像出力部１０３のスクリーニングによる画像形成によって２値（または４値等）への少値化が行われるため、画像データの８ビットの濃度値から、画像形成後の画像においてはデータが間引かれてしまい、結果として、読取り部１０４（スキャナ５０３）によるスジ部と非スジ部との読み取りの輝度差が小さくなる。この少値化によるデータ間引きの影響は、太い縦スジよりも細い縦スジの方が大きく、細い縦スジにおける輝度差の方が太い縦スジにおける輝度差よりも小さくなる。すなわち、細い縦スジの感度は、太い縦スジの感度より低くなってしまう。
【００５１】
また、当該実験で用いたＦＭスクリーンでは、１００［μｍ］未満の細い縦スジは、大幅に感度が低下してしまうが、１００［μｍ］以上の縦スジについては、太くなるにつれて緩やかに感度が増加することが確認できる。ここで、図１１に、スジ幅４２［μｍ］×（２のべき乗）を横軸にとり、図１０から求めた感度の絶対値（図１１では「感度ｙ」と表記）を縦軸としたグラフを示す。ここで、上述のように、細い縦スジについては感度変化は急峻であり、太くなるにつれて緩やかになる傾向にあるので、近似曲線は、対数近似によって求めてもよい。また、図１１に示すように、二次関数で近似するものとしてもよい。また、縦スジのスジ幅の感度を求める場合、指数関数的に増やしながら選択されたスジ幅について求めるものとしてもよい。この場合、後述するスジ検出チャートにおいても、このように指数関数的に増やしながら選択されたスジ幅のスジをパッチに入れるものとしてもよい。なお、グラフ右端の「９」の値は、４２［μｍ］×（２の９乗）≒２１．５［ｍｍ］（パッチサイズ）を示す。
【００５２】
ここで、図１２に、上述の「パッチ」に対応するグラフに基づく感度を「１．１３」と求められた場合に、その感度に対する、各縦スジの幅（スジ幅）の感度比の一覧を示す。図１２に示すように、スジ幅が３００［μｍ］あたりまでは、感度比の変化が大きいが、それ以降は緩やかになり、２０００［μｍ］を超えるとほぼ一定の値となる。
【００５３】
（補正係数について）
次に、スジ幅によって読取り部１０４による読み取りの感度が異なる縦スジを解消するための補正係数について説明する。
【００５４】
図１３は、縦スジを入れたスジ検出チャートの一例を示す図である。図１４は、横スジを入れたスジ検出チャートの一例を示す図である。図１５は、横スジを入れたスジ検出チャートから黒色のチャートを抜粋した図である。図１３〜図１５を参照しながら、本実施の形態に係るＭＦＰ１で用いる、補正係数を算出するためのスジ検出チャートについて説明する。
【００５５】
図１３には、ＣＭＹＫの各色についてのパッチの画像データを配列させ、各パッチに縦スジを入れた画像データを、画像出力部１０３によって印刷媒体にスクリーニングにより印刷出力したものが示されている。また、図１４は、ＣＭＹＫの各色についてのパッチの画像データを配列させ、各パッチに横スジを入れた画像データを、画像出力部１０３によって印刷媒体にスクリーニングにより印刷出力したものが示されている。この図１３および図１４に示すような、印刷媒体に印刷出力されたＣＭＹＫの各色のパッチが配列されたチャートを、スジ検出チャートと称するものとする。ここで、図１４に示すスジ検出チャートから、ＣＭＹＫのうちＫに対応するパッチの配列を抽出したものを、図１５に示す。以下、このＫに対応するパッチの配列のチャートを例にして説明するものする。また、図１５に示すチャートも、スジ検出チャートと称するものとして説明する。
【００５６】
図１５に示すスジ検出チャートでは、縦方向には、非スジ部の濃度として７個の濃度（図１５の紙面視上側から「８６％」、「７４％」、「６０％」、「４８％」、「３６％」、「２６％」、「１４％」）を選択して配列させている。また、横方向には、スジがないパッチと、スジ幅が８４［μｍ］、１６８［μｍ］、３３６［μｍ］、１３４４［μｍ］それぞれのパッチとを配列させている。また、スジ幅が８４［μｍ］、１６８［μｍ］、３３６［μｍ］および１３４４［μｍ］のパッチは、さらに、スジ部の濃度が非スジ部の濃度に比べて「−１０％」、「−６％」、「６％」、「１０％」であるそれぞれのパッチを配列させている。なお、ＣＭＹＫのうち、ＣＭＹそれぞれに対応するチャートのパッチの配列も同様である。また、図１５に示すパッチの配列は一例を示すものであり、縦方向には、非スジ部の濃度として異なる濃度を選択して配列させてもよく、横方向には、スジ幅またはスジ部の濃度を異なるパッチを配列させてもよい。
【００５７】
次に、縦スジを解消するための具体的な補正係数の算出方法について説明する。
【００５８】
図１６は、同じ濃度差で、異なる幅の縦スジを入れた画像データの例を示す図である。図１７は、同じ濃度差で、異なる幅の縦スジを入れた画像データを印刷した印刷媒体を読み込んだ画像を示す図である。図１８は、主走査方向の位置と、検出した輝度差との関係を示すグラフの例である。図１６〜図１８を参照しながら、縦スジを解消するための具体的な補正係数の算出方法について説明する。
【００５９】
図１６には、同じ濃度差で、異なる幅の縦スジを入れた画像データ（パッチ）を示しており、このうち、図１６（ａ）は、スジ幅が８４［μｍ］のパッチを示し、図１６（ｂ）は、スジ幅が３３６［μｍ］のパッチを示し、図１６（ｃ）は、スジ幅が２６８８［μｍ］のパッチを示している。図１６の例では、非スジ部の濃度値よりもスジ部の濃度値の方が高いものとしている。例えば、この図１６（ａ）〜図１６（ｃ）に示す画像データ（パッチ）が印刷媒体に印刷出力されたものが、それぞれ、図１３〜図１５に示すスジ検出チャートのいずれかに含まれているものとすればよい。そして、図１６に示すそれぞれのパッチがスクリーニングにより印刷出力された印刷媒体を、読取り部１０４によって読み取られた画像を、図１７に示す。図１７に示す画像のうち、図１７（ａ）は、図１６（ａ）のパッチに対応する画像であり、図１７（ｂ）は、図１６（ｂ）のパッチに対応する画像であり、図１７（ｃ）は、図１６（ｃ）のパッチに対応する画像である。図１６に示す各パッチの濃度はそれぞれ同じであるが、図１７に示すように、細い縦スジであるほど不鮮明となっているが、これは、上述したように、細い縦スジの感度は、太い縦スジの感度より低くなるため、すなわち、細い縦スジにおける輝度差の方が太い縦スジにおける輝度差よりも小さくなるためである。
【００６０】
ここで、図１８に、図１７に示すそれぞれのスジ幅において読取り部１０４によって読み取られた画像について、主走査方向の位置を横軸とし、輝度差を縦軸としたグラフを示す。ここで、主走査方向とは、印刷媒体の送り方向（副走査方向）と直交する方向を示す。図１８に示すように、スジ幅が最も大きい２６８８［μｍ］（第２のスジ幅の一例）のスジ（第２のスジの一例）に対応するグラフにおける非スジ部の輝度値とスジ部の輝度値との差（輝度差）ΔＢ’＿０（第２の輝度差の一例）は、スジ幅がそれよりも小さい８４［μｍ］（第１のスジ幅の一例）のスジ（第１のスジの一例）に対応するグラフにおける非スジ部の輝度値とスジ部の輝度値との差（輝度差）ΔＢ’＿１（第１の輝度差の一例）よりも大きい。これは、上述のように、細い縦スジの感度は、太い縦スジの感度より低くなるためである。ここで、非スジ部の輝度値とスジ部の輝度値との差は、例えば、非スジ部の輝度値の平均値と、スジ部の輝度値の平均値との差をとればよい。また、上述のように、細い縦スジについては感度変化は急峻であり、太くなるにつれて緩やかになり、感度も高いので、２６８８［μｍ］という充分な大きさであるスジ幅の場合、算出される輝度差ΔＢ’＿０は、真の輝度差とみなすことができる。一方、スジ幅が８４［μｍ］という小さい値の場合、感度は低いので、真の輝度差と比較して小さい値が算出されることになる。そこで、このスジ幅が８４［μｍ］の縦スジに対して、以下の式（１）で算出される補正係数を求めるものとする。
【００６１】
（スジ幅８４［μｍ］に対応する補正係数）＝ΔＢ’＿０／ΔＢ’＿１  ・・・（１）
【００６２】
このような式（１）で算出された補正係数を、図１６（ａ）に示すパッチのスジ部に対応する濃度値に乗じることによって、補正した濃度値を求める。また、図１８および上述の式（１）から明らかなように、式（１）で算出される補正係数は「１」より大きい値となる。スジ幅が３３６［μｍ］の縦スジに対応する補正係数ついても、同様に、輝度差ΔＢ’＿０を、スジ幅が３３６［μｍ］に対応する図１８に示すグラフの非スジ部の輝度値とスジ部の輝度値との差で除することによって求めることができる。
【００６３】
以上のような方法で算出した補正係数は、スジ幅ごとに対応付けた補正情報として、記憶部１０７に記憶される。また、上述のように、スクリーニングの種類（ＡＭスクリーンまたはＦＭスクリーンであるか否か、および、ＡＭスクリーンの場合、線数およびスクリーン角度はそれぞれいくつか等の種類）によって、縦スジの再現性が異なり、画像データにおいて、同じ濃度差および同じスジ幅だとしても感度は異なってくる。したがって、補正係数は、スクリーニングの種類ごとに算出されることが望ましい。この場合、スジ幅ごと、かつ、スクリーニングの種類ごとに補正係数を対応付けた補正情報を記憶部１０７に記憶させる。
【００６４】
また、スジ幅については、スジ検出チャートを読み込んで、縦スジ（図１４および図１５では横スジ）のスジ幅を算出し、このスジ幅に補正係数を対応付けて補正情報として記憶部１０７に記憶させるものとしてもよい。また、スジ検出チャートでは、図１５で上述したようにスジ幅は既知なので、この既知であるスジ幅に補正係数を対応付けて補正情報として記憶部１０７に記憶させるものとしてもよい。ここで、実際のスジ幅を検出する場合には、例えば、図１８において、非スジ部からスジ部への立下り部、および、スジ部から非スジ部への立上がり部における輝度値についての半値幅を、スジ幅として算出するものとすればよい。または、非スジ部からスジ部へ立ち下がる場合において所定の閾値を下回った主走査方向の位置から、スジ部から非スジ部へ立ち上がる場合において所定の閾値を上回った主走査方向の位置までの幅を、スジ幅として算出するものとしてもよく、その他、適切にスジ幅として検出できる方法を選択すればよい。
【００６５】
以上のようなスジ幅ごと、かつ、スクリーニングの種類ごとに補正係数を対応付けた補正情報を用いて、印刷出力した印刷媒体に縦スジが生じた場合に、その印刷出力に対応する画像データの縦スジ部分に対応する濃度値を補正することによって、縦スジを解消することが可能となる。補正情報を用いた縦スジの補正処理については、図２０で後述する。
【００６６】
なお、上述のように、図１３に示すスジ検出チャートは、各パッチに縦スジを入れたものであり、図１４に示すスジ検出チャートは、各パッチに横スジを入れたものであるが、図１４に示すスジ検出チャートの横スジは、補正する方向、すなわち、縦スジのスジ方向と異なるスジであるので、ＭＦＰ１の要因で発生する縦スジと、スジ検出チャートに予め入れてあるスジ（横スジ）との分離が容易になるという利点がある。
【００６７】
また、ＦＭスクリーンの場合、スクリーン角度がないので、どの方向のスジについても読み取りの感度は同じであるため、例えば、スジ検出チャートの画像データについて、補正の対象となる縦スジの方向に対して、９０度回転した方向へスジ（横スジ）を入れることが好ましい。ただし、スジ検出チャートの画像データについて、９０度回転に限らず、縦スジの方向とは異なる方向にスジを入れるものとすればよい。これによって、ＭＦＰ１の要因で発生する縦スジと、スジ検出チャートに予め入れてあるスジとの分離が容易になるという効果が得られる。
【００６８】
また、ＡＭスクリーンの場合、スクリーン角度を有するので、方向に応じてドットの成長具合が異なる場合がある。例えば、図４および図５等で示したＡＭスクリーンは、スクリーン角度が４５度であるので、９０度回転させてもドットの成長具合は同じである。したがって、スジ検出チャートの画像データについて、以下の式（２）を満たすような方向にスジをいれることによって、上述と同様に、ＭＦＰ１の要因で発生する縦スジと、スジ検出チャートに予め入れてあるスジとの分離が容易になるという効果が得られる。
【００６９】
（補正する方向とスクリーン角度との差）＝（チャートのスジ方向とスクリーン角度との差）                                                              ・・・（２）
【００７０】
（補正係数の算出処理の流れ）
図１９は、第１の実施の形態に係る画像形成装置における補正係数の算出処理の一例を示すフローチャートである。図１９を参照しながら、本実施の形態に係るＭＦＰ１の補正係数の算出処理の流れについて説明する。
【００７１】
＜ステップＳ１１＞
画像出力部１０３は、ユーザ（または管理者、メンテナンス要員等）による操作部１０９の操作入力に従って、記憶部１０７に記憶されている図１３または図１４等のスジ検出チャートの画像データを、印刷媒体に特定のスクリーニングによって画像形成出力（印刷出力）し、スジ検出チャートを作成する。そして、ステップＳ１２へ移行する。
【００７２】
＜ステップＳ１２＞
読取り部１０４は、画像出力部１０３により画像形成（印刷）されたスジ検出チャートを読み取る。具体的には、読取り部１０４は、スジ検知チャートのスジは入った各パッチにおけるスジ部および非スジ部の輝度値を読み取る。そして、ステップＳ１３へ移行する。
【００７３】
＜ステップＳ１３＞
検出部１０５は、読取り部１０４により読み取られた輝度値に基づいて、各パッチについて、スジ部の輝度値と非スジ部と輝度値との差（輝度差）を算出する。また、検出部１０５は、各パッチに入れられたスジのスジ幅を算出する。輝度差およびスジ幅の算出方法は、上述した通りである。そして、ステップＳ１４へ移行する。
【００７４】
＜ステップＳ１４＞
算出部１０６は、上述の図１６で示したように、同じ濃度差で、異なるスジ幅のスジを入れたパッチそれぞれにおけるスジ部と非スジ部との輝度差のうち、最も大きいスジ幅の輝度差を、補正係数の算出対象となるスジ幅の輝度差で除することにより、当該スジ幅に対応する補正係数を算出する（上述の式（１）参照）。そして、ステップＳ１５へ移行する。
【００７５】
＜ステップＳ１５＞
算出部１０６は、算出した補正係数を、対応するスジ幅ごとに対応付けて補正情報として記憶部１０７に記憶させる。また、上述のように、スクリーニングの種類によって、縦スジの再現性が異なり、画像データにおいて、同じ濃度差および同じスジ幅だとしても感度は異なってくるので、補正係数は、スジ幅だけでなく、スクリーニングの種類ごとに対応付けて補正情報として記憶部１０７に記憶されることが望ましい。
【００７６】
以上のステップＳ１１〜Ｓ１５の流れによって、本実施の形態に係るＭＦＰ１の補正係数の算出処理が実行される。
【００７７】
（補正処理の流れ）
図２０は、第１の実施の形態に係る画像形成装置における補正処理の一例を示すフローチャートである。図２０を参照しながら、本実施の形態に係るＭＦＰ１の補正処理の流れについて説明する。
【００７８】
＜ステップＳ２１＞
読取り部１０４は、画像データが画像形成（印刷）された印刷媒体の画像を読み取る。そして、ステップＳ２２へ移行する。
【００７９】
＜ステップＳ２２＞
検出部１０５は、読取り部１０４により読み取られた輝度値に基づいて、縦スジの有無を検出する。具体的には、検出部１０５は、印刷媒体の画像の主走査方向の輝度値の変化に注目し、例えば、輝度値が所定の閾値よりも下回った後、さらに輝度値が所定の閾値よりも上回った場合、または、輝度値が所定の閾値よりも上回った後、さらに輝度値が所定の閾値よりも下回った場合に縦スジを検出したものとすればよい。なお、縦スジの有無の検出方法は、上述の方法に限定されるものではなく、その他の周知の方法により検出するものとしてもよい。
【００８０】
また、検出部１０５は、縦スジを検出した場合、その縦スジのスジ幅を算出する。ここで、スジ幅の算出方法は、上述の図１８で説明した通りである。そして、ステップＳ２３へ移行する。
【００８１】
＜ステップＳ２３＞
補正部１０８は、検出部１０５により算出されたスジ幅に対応する補正情報を、記憶部１０７から読み出す。そして、補正部１０８は、読み出した補正情報に含まれる補正係数を、検出部１０５により検出された縦スジ部分に対応する濃度値に乗ずることによって濃度値を補正する。具体的には、補正部１０８は、元の濃度値を、その濃度値に補正係数を乗じた値によって置き換える。そして、ステップＳ２４へ移行する。
【００８２】
＜ステップＳ２４＞
画像出力部１０３は、ユーザ（または管理者、メンテナンス要員等）による操作部１０９の操作入力に従って、濃度値が補正された画像データを、印刷媒体に再印刷する。これによって、縦スジが補正された状態で画像データが印刷媒体に印刷出力される。
【００８３】
以上のステップＳ２１〜Ｓ２４の流れによって、本実施の形態に係るＭＦＰ１の補正処理が実行される。
【００８４】
なお、画像データが印刷された印刷媒体において、主走査方向の所定の位置に縦スジが発生することが既知である場合、検出部１０５により検出された縦スジの主走査方向の位置を、その縦スジのスジ幅と対応付けて記憶部１０７に予め記憶しておくものとしてもよい。これによって、縦スジが発生する状態で印刷された印刷媒体を、その都度、読取り部１０４により読み込ませる必要がなく、印刷出力の対象となる画像データにおいて、記憶部１０７に予め記憶している縦スジが発生する主走査方向の位置の濃度値に対して、直接、その縦スジのスジ幅に対応する補正係数によって補正することができる。
【００８５】
以上のように、細い縦スジに対する読み取りの感度は、太い縦スジに対する読み取りの感度より低く、細い縦スジにおける輝度差の方が太い縦スジにおける輝度差よりも小さくなること、および充分な大きさのスジ幅を有する縦スジの輝度差は真の輝度差とみなすことができることから、上述の式（１）により算出される値を補正係数として算出するものとしている。そして、印刷媒体に発生した縦スジのスジ幅に対応する補正係数によって、その縦スジ部分に対応する画像データの濃度値を補正することによって、縦スジを補正することが可能となり、縦スジを解消することができる。
【００８６】
［第２の実施の形態］
第２の実施の形態に係る画像形成装置について、第１の実施形態に係る画像形成装置（ＭＦＰ１）と相違する点を中心に説明する。第１の実施の形態では、画像形成装置としてＭＦＰを想定した場合の縦スジの補正について説明した。本実施の形態では、画像形成装置としてラインヘッド方式のインクジェットプリンタを想定した場合の縦スジの補正について説明する。なお、本実施の形態に係る画像形成装置における機能ブロック構成、補正係数の算出処理、および補正処理の内容は、第１の実施の形態に係る画像形成装置と同様である。
【００８７】
（画像形成装置の概略構造）
図２１は、第２の実施の形態に係る画像形成装置（インクジェットプリンタ）の構造の一例を示す概略断面図である。図２２は、第２の実施の形態に係る画像形成装置のラインヘッドを説明する図である。図２３は、第２の実施の形態に係る画像形成装置の記録ヘッドの浴室の長手方向の断面図である。図２４は、第２の実施の形態に係る画像形成装置の記録ヘッドの浴室の短手方向の断面図である。図２１〜図２４を参照しながら、本実施の形態に係る画像形成装置の概略構造について説明する。
【００８８】
図２１に示すように、本実施の形態に係る画像形成装置の一例であるインクジェットプリンタ１ａは、ラインヘッド方式のプリンタであり、本体１０と、給紙装置４０と、排紙装置５０と、を備えている。
【００８９】
本体１０は、ラインヘッド方式で印刷媒体に印刷出力する画像形成装置の本体であって、給紙装置４０から印刷媒体Ｐが給紙されて、複数のガイドローラによって印刷媒体Ｐが搬送される。本体１０は、エッジコントローラ１１と、ヒートコントローラ１２と、記録ヘッドユニット２０と、スキャナ３０と、を備えている。
【００９０】
エッジコントローラ１１は、給紙された印刷媒体Ｐの幅方向両端の位置を規制することにより、印刷媒体Ｐの搬送方向と直交する方向での印刷媒体Ｐのずれを補正して、印刷媒体Ｐの蛇行を抑制する装置である。
【００９１】
記録ヘッドユニット２０は、ラインヘッド方式のユニットであり、所定位置まで印刷媒体Ｐが搬送されると、液滴を吐出することで画像形成を行う。記録ヘッドユニット２０は、印刷媒体Ｐの搬送方向に沿って、ブラック（Ｋ）、シアン（Ｃ）、マゼンタ（Ｍ）およびイエロー（Ｙ）の各色の液滴をそれぞれ吐出するための記録ヘッド２１ｋ、２１ｃ、２１ｍ、２１ｙを備えている。なお、記録ヘッド２１ｋ、２１ｃ、２１ｍ、２１ｙについて、任意の記録ヘッドを示す場合、または総称する場合、単に、「記録ヘッド２１」と称するものとする。
【００９２】
スキャナ３０は、印刷媒体Ｐ上に画像形成された画像を光学的に読み取るための装置である。スキャナ３０は、例えば、ラインセンサ等を含んで構成される。スキャナ３０の構成としては、公知の様々なスキャナ装置の構成を利用することができる。
【００９３】
ヒートコントローラ１２は、記録ヘッドユニット２０の下流側に配置されたドラム状のヒータ装置である。ヒートコントローラ１２は、画像形成された印刷媒体Ｐを加熱して、記録ヘッドユニット２０から印刷媒体Ｐに着弾させた各色の液滴を乾燥させて定着させる。
【００９４】
給紙装置４０は、紙等の印刷媒体を本体１０に給紙する装置である。排紙装置５０は、画像形成後の印刷媒体Ｐを巻き取る装置である。なお、図示しない後処理装置によって、裁断、巻き取り、製本等の様々な後処理を加えるものであってもよい。
【００９５】
図２２に示すように、ラインヘッド方式の記録ヘッドユニット２０は、複数の記録ヘッド２１をつないで長尺ヘッドを構成することがほとんどであるため、つなぎ目の問題はラインヘッド方式のインクジェットプリンタを考える上で切り離せない課題である。
【００９６】
次に、図２３および図２４を参照しながら、記録ヘッドユニット２０を構成している記録ヘッド２１の構造について説明する。液体吐出ヘッドである記録ヘッド２１は、例えば、単結晶シリコン基板を異方性エッチングして形成した流路板６１と、この流路板６１の下面に接合した、例えば、ニッケル電鋳で形成した振動板６２と、流路板６１の上面に接合したノズル板６３と、が接合されて積層された構造を有する。また、記録ヘッド２１は、流路板６１、振動板６２およびノズル板６３によって液滴（インク滴）を吐出するノズル６４が連通する流路であるノズル連通路６５、圧力発生室である液室６６、および、液室６６にインクを供給するための共通液室６８に連通するインク供給口６９等が形成されている。また、記録ヘッド２１は、振動板６２を変形させて液室６６内のインクを加圧するための圧力発生手段である電気機械変換素子としての２列の積層型の圧電素子７１と、この圧電素子７１を接合固定するベース基板７２と、を備えている。圧電素子７１は、ＦＰＣ（Ｆｌｅｘｉｂｌｅ  Ｐｒｉｎｔｅｄ  Ｃｉｒｃｕｉｔ）ケーブル７６によって、図示しない駆動回路に接続されている。
【００９７】
また、記録ヘッド２１は、圧電素子７１の間に支柱部７３が設けられている。支柱部７３は、圧電素子部材を分割加工することで圧電素子７１と同時に形成された部分であり、駆動電圧が印加されないので単なる支柱となる。
【００９８】
また、振動板６２の周辺部には、フレーム部材８０が接合されている。フレーム部材８０は、圧電素子７１およびベース基板７２等で構成されるアクチュエータユニットを収納する貫通部８１、共通液室６８となる凹部、および、この共通液室６８に外部からインクを供給するためのインク供給穴８２が形成されている。フレーム部材８０は、例えば、エポキシ系樹脂等の熱硬化性樹脂、または、ポリフェニレンサルファイトで射出成形により形成される。
【００９９】
流路板６１は、例えば、結晶面方位（１１０）の単結晶シリコン基板を水酸化カリウム水溶液（ＫＯＨ）等のアルカリ性エッチング液を用いて異方性エッチングすることで、ノズル連通路６５および液室６６が形成されたものであるが、単結晶シリコン基板に限られるものではなく、その他のステンレス基板または感光性樹脂等を用いることもできる。
【０１００】
振動板６２は、ニッケルの金属プレートから形成されたもので、例えば、エレクトロフォーミング法（電鋳法）で作製されるが、その他、金属板、または、金属と樹脂板との接合部材等を用いて形成されることもできる。また、振動板６２は、圧電素子７１および支柱部７３に接着剤により接合され、さらに、フレーム部材８０に接着剤により接合されている。
【０１０１】
ノズル板６３は、各液室６６に対応して直径１０〜３０［μｍ］のノズル６４が形成され、流路板６１に接着剤により接合されている。ノズル板６３は、金属部材からなるノズル形成部材の表面に所要の層を介して最表面に撥水層が形成されたものである。
【０１０２】
圧電素子７１は、圧電材料９１と内部電極９２とを交互に積層した積層型圧電素子（ここでは、ＰＺＴ）である。この圧電素子７１の交互に異なる端面に引き出された各内部電極９２には、個別電極９３および共通電極９４が接続されている。なお、圧電素子７１の圧電方向としてｄ３３方向の変位を用いて液室６６内のインクを加圧する構成としているが、圧電素子７１の圧電方向としてｄ３１方向の変位を用いて液室６６内のインクを加圧する構成としてもよい。また、１つのベース基板７２に１列の圧電素子７１が設けられる構造とすることもできる。
【０１０３】
このように構成された記録ヘッド２１においては、例えば、圧電素子７１に印加する電圧を基準電位から下げることによって圧電素子７１が収縮し、振動板６２が下降して液室６６の容積が膨張する。これによって、液室６６内にインクが流入し、その後、圧電素子７１に印加する電圧を上げて圧電素子７１を積層方向に伸長させ、振動板６２をノズル６４の方向に変形させて液室６６の容積を収縮させることにより、液室６６内のインクが加圧され、ノズル６４からインクの滴が吐出（噴射）される。そして、圧電素子７１に印加する電圧を基準電位に戻すことによって振動板６２が初期位置に復元し、液室６６が膨張して負圧が発生する。このとき、共通液室６８から液室６６内にインクが充填される。そこで、ノズル６４のメニスカス面の振動が減衰して安定した後、次の液滴吐出のための動作に移行する。なお、この記録ヘッド２１の駆動方法については上述の例（引き−押し打ち）に限定されるものではなく、駆動波形の与えた方によって引き打ちまたは押し打ち等を行なうこともできる。
【０１０４】
（画像形成装置のハードウェア構成）
図２５は、第２の実施の形態に係る画像形成装置のハードウェア構成の一例を示す図である。図２５を参照しながら、本実施の形態に係る画像形成装置のハードウェア構成について説明する。
【０１０５】
図２５に示すように、本実施の形態に係る画像形成装置の一例であるインクジェットプリンタ１ａは、制御部６００と、操作パネル６２０と、補助記憶装置６２１と、スキャナ３０と、記録ヘッド２１と、を備えている。なお、スキャナ３０および記録ヘッド２１については、上述した通りである。
【０１０６】
制御部６００は、インクジェットプリンタ１ａ全体の動作を統括的に制御する制御装置である。制御部６００は、ＣＰＵ６０１と、ＲＯＭ６０２と、ＲＡＭ６０３と、ＮＶＲＡＭ（Ｎｏｎ−Ｖｏｌａｔｉｌｅ  ＲＡＭ）６０４と、ＡＳＩＣ６０５と、ホストＩ／Ｆ６０６と、印刷制御部６０７と、モータ駆動部６０８と、Ｉ／Ｏ６０９と、記憶装置Ｉ／Ｆ６１０と、を備えている。
【０１０７】
ＣＰＵ６０１は、インクジェットプリンタ１ａ全体の制御を司る演算装置である。ＲＯＭ６０２は、ＣＰＵ６０１が実行するプログラム、その他の固定データを格納する不揮発性の記憶装置である。ＲＡＭ６０３は、画像データ等を一時格納する揮発性の記憶装置である。ＮＶＲＡＭ６０４は、インクジェットプリンタ１ａの電源が遮断されている間もデータを記憶するための書き換え可能な不揮発性の記憶装置である。ＡＳＩＣ６０５は、画像データに対する各種信号処理、並び替え等を行なう画像処理、および、インクジェットプリンタ１ａ全体を制御するための入出力信号を処理する回路である。
【０１０８】
ホストＩ／Ｆ６０６は、ホスト側とのデータおよび信号の通信を行うためのインターフェースであり、本実施の形態では、スキャナ３０が接続されている。なお、ホストＩ／Ｆ６０６には、スキャナ３０だけなく、その他の外部装置が接続されるものとしてもよい。印刷制御部６０７は、記録ヘッド２１を駆動制御する駆動回路である。モータ駆動部６０８は、印刷媒体Ｐを搬送させる搬送機構の各種モータを駆動させる駆動回路である。Ｉ／Ｏ６０９は、各種センサからの検出信号を入力するためのインターフェースである。記憶装置Ｉ／Ｆ６１０は、外部の補助記憶装置６２１との間でデータのやり取りをするためのインターフェースである。
【０１０９】
操作パネル６２０は、インクジェットプリンタ１ａに対して必要な情報の入力操作および表示を行うための操作部である。
【０１１０】
補助記憶装置６２１は、ホスト装置から受信した画像データ、および後述するスジ検出チャートの画像データ等を記憶する不揮発性の記憶装置である。また、補助記憶装置６２１は、補正係数の算出処理で得られる補正情報を記憶する。具体的には、補助記憶装置６２１は、複数の色のうちのいずれかの色に対応する画像データにおける縦スジのスジ幅ごと、かつ、スクリーニングの種類ごとに、縦スジを解消するための補正係数を対応付けた補正情報を、複数の色ごとに記憶する。また、この例では、補助記憶装置６２１は、ＣＭＹＫの４色と１対１に対応する４つの補正情報を記憶する。補助記憶装置６２１は、例えば、ＨＤＤまたはＳＳＤ等である。
【０１１１】
なお、図２５に示したインクジェットプリンタ１ａのハードウェア構成は、一例を示すものであり、その他の構成要素を含むものとしてもよい。
【０１１２】
また、本実施の形態に係る画像形成装置における機能ブロック構成は、図２に示す第１の実施の形態に係る画像形成装置の機能ブロック構成と同様であることは上述した通りだが、図２に示す各機能部は、以下のような装置またはプログラムによって実現される。
【０１１３】
通信部１０１は、図２５に示すホストＩ／Ｆ６０６によって実現される。画像出力部１０３は、図２５に示す印刷制御部６０７および記録ヘッド２１によって実現される。読取り部１０４は、図２５に示すスキャナ３０によって実現される。記憶部１０７は、図２５に示す補助記憶装置６２１によって実現される。操作部１０９は、図２５に示す操作パネル６２０の入力機能によって実現される。取得部１０２、検出部１０５、算出部１０６、補正部１０８および制御部１１０は、それぞれ、例えば、図２５に示すＣＰＵ６０１がプログラムを実行することによって実現される。
【０１１４】
なお、上述の取得部１０２、検出部１０５、算出部１０６、補正部１０８および制御部１１０の一部または全部は、ソフトウェアであるプログラムではなく、ＡＳＩＣまたはＦＰＧＡ等のハードウェア回路によって実現されるものとしてもよい。
【０１１５】
（ヘッドのつなぎ目について）
図２６は、記録ヘッドユニットのつなぎヘッドの一例を示す図である。図２７は、記録ヘッドユニットのつなぎヘッドの別の例を示す図である。図２８は、記録ヘッドユニットのつなぎヘッドのつなぎ目を説明する図である。図２９は、記録ヘッドユニットのつなぎヘッドのつなぎ目に生じるスジの例を示す図である。図２６〜図２９を参照しながら、ラインヘッド方式のユニットである記録ヘッドユニット２０における記録ヘッド２１と記録ヘッド２１とのつなぎ目について説明する。
【０１１６】
また、図２６に示すように１．２７インチ（長さは一例）のヘッド（記録ヘッド２１）をノズル列方向につなぎ合わせたものを、以下、「つなぎヘッド」と称するものとする。また、図２６に示すように、上下の記録ヘッド２１がオーバーラップしている領域Ａを「オーバーラップ領域」と称し、オーバーラップしていない領域Ｂを「非オーバーラップ領域」と称することとする。
【０１１７】
また、図２７に示すように、つなぎヘッドのつなぎ方には種々の方法が考えられる。例えば、図２７（ａ）は、オーバーラップさせるノズル数が図２６に示す例とは異なる例を示し、図２７（ｂ）は、オーバーラップさせるヘッド数（色数）が図２６に示す例とは異なる例を示す。また、図２７（ｃ）は、上下のヘッドのつなぎ方が図２６に示す例とは異なる例を示し、図２７（ｄ）は、オーバーラップ領域においてヘッドの解像度が異なる例を示す。
【０１１８】
しかし、本実施の形態では、ヘッドのつなぎ目のドット形成位置に着眼するため、ノズ
ルの重ね量、色の並び、色数、ヘッドのつなぎ方、および、ノズル密度等について、図２７に示す例に限定されるものではない。ここでは、説明の簡略化のため図２６に示すような４色構成のヘッド（記録ヘッド２１）を上下につなぐ例を基本にして説明する。
【０１１９】
図２６に示すようなノズルをつなぎ合わせたヘッド構成のインクジェットプリンタでは、つなぎヘッドのつなぎ目において、画像に縦スジが発生する場合がある。
【０１２０】
図２８では、ヘッドのつなぎ目について説明されている。図２８に示すように、ヘッドのつなぎ目とは、つなぎヘッドのつなぎ目のことをいう。上述したように、ヘッドのつなぎ目は印刷媒体Ｐ上でドット形成の粗密が起きて縦スジを招く。
【０１２１】
次に、つなぎ目に生じる縦スジについて説明する。図２９（ａ）の紙面視左側部分に示すように、つなぎ目のドットが本来のドット形成位置よりも寄っている場合、すなわち、記録ヘッド２１同士が副走査方向と直交する方向において近寄っている場合は、つなぎ目のドット形成の密度が高くなり、いわゆる、黒スジが発生する可能性がある。
【０１２２】
また、図２９（ａ）の紙面視右側部分に示すように、つなぎ目のドットが本来のドット形成位置よりも離れている場合、すなわち、記録ヘッド２１同士が副走査方向と直交する方向において遠ざかっている場合は、つなぎ目のドット形成の密度が低くなり、いわゆる、白スジが発生する可能性がある。
【０１２３】
なお、ここでいう黒スジおよび白スジとは、ドットの形成の粗密によって生じる濃淡ムラのことを示し、黒および白の色そのものを示すものではない。例えば、黒インクの場合もシアンインク場合もドット形成が密になり、濃度が高く生じたスジのことは黒スジと表現し、ドット形成が疎になり、濃度が低く生じたスジのことは白スジと表現するものとする。
【０１２４】
次に、複数のノズルがオーバーラップした場合に生じる縦スジについて説明する。図２９（ｂ）の紙面視左側部分および右側部分の例では、ドットの形成位置が分散されるため、つなぎ目の部分のコントラストがぼかされスジの発生は抑制される。しかし、オーバーラップ領域と非オーバーラップ領域との境界部分では、ドットの粗密が発生しやすいため、この部分がスジとして発生する可能性がある。なお、オーバーラップのノズル数、および、記録ヘッド２１内部のドット振り分けパターンについては、特に図２９に示す例に限定されるものではない。
【０１２５】
以上のような、つなぎ目およびその周辺の位置で発生する縦スジ（黒スジおよび白スジ）は機械的な調整で解消すべきものであり、本発明の補正対象となる縦スジではない。また、このようなつなぎ目およびその周辺で発生する縦スジが、上述のスジ検出チャートのパッチ上に形成されてしまうと、補正係数を算出するために入れた縦スジとの判別がつかなくなる。そこで、本実施の形態では、以下に説明するような対応を施してスジ検出チャートを作成するものとする。
【０１２６】
（補正係数を算出するためのスジ検出チャートについて）
図３０は、第２の実施の形態に係る画像形成装置用の縦スジを入れたスジ検出チャートの一例を示す図である。図３１は、第２の実施の形態に係る画像形成装置用の横スジを入れたスジ検出チャートの一例を示す図である。図３０および図３１を参照しながら、本実施の形態に係るインクジェットプリンタ１ａで用いる、補正係数を算出するためのスジ検出チャートについて説明する。
【０１２７】
図３０には、ＣＭＹＫの各色についてのパッチの画像データを配列させ、各パッチに縦スジを入れた画像データを、画像出力部１０３によって印刷媒体にスクリーニングにより印刷出力したスジ検出チャートが示されている。また、図３１は、ＣＭＹＫの各色についてのパッチの画像データを配列させ、各パッチに横スジを入れた画像データを、画像出力部１０３によって印刷媒体にスクリーニングにより印刷出力したスジ検出チャートが示されている。
【０１２８】
ただし、上述のように、つなぎ目およびその周辺で発生する縦スジが、上述のスジ検出チャートのパッチ上に形成されてしまうと、補正係数を算出するために入れた縦スジとの判別がつかなくなるため、図３０および図３１に示すスジ検出チャートは、記録ヘッド２１のつなぎ目およびその周辺に対応する部分には、パッチが形成されないように作成されている。これによって、補正係数を算出する際には、読取り部１０４は、記録ヘッド２１のつなぎ目およびその周辺以外に対応する部分以外の部分に画像形成された各パッチの部分の輝度値のみを読み取ればよい。そして、スジ検出チャートのパッチ部分に、つなぎ目およびその周辺で発生する縦スジが形成されることがないため、各パッチ部分に予め入れられた縦スジに基づいて、スジ幅ごとに適切に補正係数を算出することが可能となる。これによって、第１の実施の形態と同様の効果を奏する。
【０１２９】
また、上述のように、図３０に示すスジ検出チャートは、各パッチに縦スジを入れたものであり、図３１に示すスジ検出チャートは、各パッチに横スジを入れたものであるが、図３１に示すスジ検出チャートの横スジは、補正する方向、すなわち、縦スジのスジ方向と異なるスジであるので、インクジェットプリンタ１ａの要因で発生する縦スジと、スジ検出チャートに予め入れてあるスジ（横スジ）との分離が容易になるという利点がある。
【０１３０】
また、上述の各実施の形態において、画像形成装置の各機能部の少なくともいずれかがプログラムの実行によって実現される場合、そのプログラムは、ＲＯＭ等に予め組み込まれて提供される。また、上述の各実施の形態に係る画像形成装置で実行されるプログラムは、インストール可能な形式または実行可能な形式のファイルでＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ−Ｒｅｃｏｒｄａｂｌｅ）、またはＤＶＤ（Ｄｉｇｉｔａｌ  Ｖｅｒｓａｔｉｌｅ  Ｄｉｓｃ）等のコンピュータで読み取り可能な記憶媒体に記憶して提供するように構成してもよい。また、上述の各実施の形態の画像形成装置で実行されるプログラムを、インターネット等のネットワークに接続されたコンピュータ上に格納し、ネットワーク経由でダウンロードさせることにより提供するように構成してもよい。また、上述の各実施の形態の画像形成装置で実行されるプログラムを、インターネット等のネットワーク経由で提供または配布するように構成してもよい。また、上述の各実施の形態の画像形成装置で実行されるプログラムは、上述した各機能部のうち少なくともいずれかを含むモジュール構成となっており、実際のハードウェアとしてはＣＰＵ（ＣＰＵ５０１、６０１）が上述の記憶装置（例えば、補助記憶装置５０５、６２１）からプログラムを読み出して実行することにより、上述の各機能部が主記憶装置上にロードされて生成されるようになっている。
【符号の説明】
【０１３１】
１  ＭＦＰ
１ａ  インクジェットプリンタ
１０  本体
１１  エッジコントローラ
１２  ヒートコントローラ
２０  記録ヘッドユニット
２１、２１ｃ、２１ｍ、２１ｙ、２１ｋ  記録ヘッド
３０  スキャナ
４０  給紙装置
５０  排紙装置
６１  流路板
６２  振動板
６３  ノズル板
６４  ノズル
６５  ノズル連通路
６６  液室
６８  共通液室
６９  インク供給口
７１  圧電素子
７２  ベース基板
７３  支柱部
７６  ＦＰＣケーブル
８０  フレーム部材
８１  貫通部
８２  インク供給穴
９１  圧電材料
９２  内部電極
９３  個別電極
９４  共通電極
１０１  通信部
１０２  取得部
１０３  画像出力部
１０４  読取り部
１０５  検出部
１０６  算出部
１０７  記憶部
１０８  補正部
１０９  操作部
１１０  制御部
５０１  ＣＰＵ
５０２  通信Ｉ／Ｆ
５０３  スキャナ
５０４  ＲＡＭ
５０５  補助記憶装置
５０６  操作表示部
５０７  プロッタ
６００  制御部
６０１  ＣＰＵ
６０２  ＲＯＭ
６０３  ＲＡＭ
６０４  ＮＶＲＡＭ
６０５  ＡＳＩＣ
６０６  ホストＩ／Ｆ
６０７  印刷制御部
６０８  モータ駆動部
６０９  Ｉ／Ｏ
６１０  記憶装置Ｉ／Ｆ
６２０  操作パネル
６２１  補助記憶装置
【先行技術文献】
【特許文献】
【０１３２】
【特許文献１】特許第４６６１３７５号公報
【図１】
2018154060.tif 000003
【図２】
2018154060.tif 000004
【図３】
2018154060.tif 000005
【図４】
2018154060.tif 000006
【図５】
2018154060.tif 000007
【図６】
2018154060.tif 000008
【図７】
2018154060.tif 000009
【図８】
2018154060.tif 000010
【図９】
2018154060.tif 000011
【図１０】
2018154060.tif 000012
【図１１】
2018154060.tif 000013
【図１２】
2018154060.tif 000014
【図１３】
2018154060.tif 000015
【図１４】
2018154060.tif 000016
【図１５】
2018154060.tif 000017
【図１６】
2018154060.tif 000018
【図１７】
2018154060.tif 000019
【図１８】
2018154060.tif 000020
【図１９】
2018154060.tif 000021
【図２０】
2018154060.tif 000022
【図２１】
2018154060.tif 000023
【図２２】
2018154060.tif 000024
【図２３】
2018154060.tif 000025
【図２４】
2018154060.tif 000026
【図２５】
2018154060.tif 000027
【図２６】
2018154060.tif 000028
【図２７】
2018154060.tif 000029
【図２８】
2018154060.tif 000030
【図２９】
2018154060.tif 000031
【図３０】
2018154060.tif 000032
【図３１】
2018154060.tif 000033